(57)【要約】【課題】本発明は、オーバーライト性能を向上させ得る光ディスク装置を提案する。【解決手段】書換え型の光ディスクにオーバーライトを行う光ディスク装置であって、以前に光ディスクの記録領域に記録したときの記録パワーを算出する算出部と、算出部により算出された記録パワーのライトパワーを、今回記録する記録パワーのライトパワーとして決定すると共に、算出部により算出された記録パワーのイレースパワー、クーリングパワー及び又はミドルパワーを調整して、今回記録する記録パワーを最終的に決定する記録パワー決定部とを備える。【選択図】図８
2009151862.tif 000002
【特許請求の範囲】
【請求項１】
書換え型の光ディスクにオーバーライトを行う光ディスク装置であって、
以前に前記光ディスクの記録領域に記録したときの記録パワーを算出する算出部と、
前記算出部により算出された前記記録パワーのライトパワーを、今回記録する記録パワーのライトパワーとして決定すると共に、前記算出部により算出された前記記録パワーのイレースパワー、クーリングパワー及び又はミドルパワーを調整して、今回記録する記録パワーを最終的に決定する記録パワー決定部と
を備えることを特徴とする光ディスク装置。
【請求項２】
前記算出部は、
入力された再生信号から、当該再生信号の変調度及びアシンメトリを算出し、算出した変調度に基づいて、以前に前記光ディスクの記録領域に記録したときの記録パワーを算出する
ことを特徴とする請求項１に記載の光ディスク装置。
【請求項３】
前記記録パワー決定部は、
前記算出部により算出された前記アシンメトリが、予め設定されているアシンメトリの上限値以下のときに、前記算出部により算出された前記記録パワーのライトパワーを、今回記録する記録パワーのライトパワーとして決定する
ことを特徴とする請求項２に記載の光ディスク装置。
【請求項４】
前記記録パワー決定部は、
前記算出部により算出された前記アシンメトリが、前記予め設定されているアシンメトリの上限値よりも大きいときに、当該予め設定されているアシンメトリの上限値に基づいて記録パワーを算出し、当該記録パワーのライトパワーを、今回記録する記録パワーのライトパワーとして決定する
ことを特徴とする請求項２に記載の光ディスク装置。
【請求項５】
前記記録パワー決定部は、
前記算出部により算出された記録パワーのイレースパワー、クーリングパワー及び又はミドルパワーを増加して、今回記録する記録パワーを最終的に決定する
ことを特徴とする請求項１に記載の光ディスク装置。
【請求項６】
前記記録パワー決定部は、
前記算出部により算出された記録パワーのイレースパワー、クーリングパワー及びミドルパワーのうちのいずれか１つ、又はいずれか２つを増加して、今回記録する記録パワーを最終的に決定する
ことを特徴とする請求項５に記載の光ディスク装置。
【請求項７】
前記算出部は、
前記光ディスクのローディングセットアップ中若しくはローディングセットアップを終了したとき又は前記光ディスクへの記録を開始したときに、以前に前記光ディスクの記録領域に記録したときの記録パワーを算出する
ことを特徴とする請求項１に記載の光ディスク装置。
【請求項８】
前記算出部により算出された前記記録パワーにより一度前記光ディスクに記録し、その上から前記記録パワー決定部により決定された今回記録する記録パワーにより前記光ディスクに記録する記録部
を備えることを特徴とする請求項１に記載の光ディスク装置。
【請求項９】
書換え型の光ディスクにオーバーライトを行う光ディスク装置のオーバーライトパワー制御方法であって、
以前に前記光ディスクの記録領域に記録したときの記録パワーを算出する第１のステップと、
前記第１のステップにおいて算出した前記記録パワーのライトパワーを、今回記録する記録パワーのライトパワーとして決定すると共に、前記第１のステップにおいて算出した前記記録パワーのイレースパワー、クーリングパワー及び又はミドルパワーを調整して、今回記録する記録パワーを最終的に決定する第２のステップと
を備えることを特徴とするオーバーライトパワー制御方法。
【請求項１０】
前記第１のステップでは、
入力された再生信号から、当該再生信号の変調度及びアシンメトリを算出し、算出した変調度に基づいて、以前に前記光ディスクの記録領域に記録したときの記録パワーを算出する
ことを特徴とする請求項９に記載のオーバーライトパワー制御方法。
【請求項１１】
前記第２のステップでは、
前記第１のステップにおいて算出した前記アシンメトリが、予め設定されているアシンメトリの上限値以下のときに、前記第１のステップにおいて算出した前記記録パワーのライトパワーを、今回記録する記録パワーのライトパワーとして決定する
ことを特徴とする請求項１０に記載のオーバーライトパワー制御方法。
【請求項１２】
前記第２のステップでは、
前記第１のステップにおいて算出した前記アシンメトリが、前記予め設定されているアシンメトリの上限値よりも大きいときに、当該予め設定されているアシンメトリの上限値に基づいて記録パワーを算出し、当該記録パワーのライトパワーを、今回記録する記録パワーのライトパワーとして決定する
ことを特徴とする請求項１０に記載のオーバーライトパワー制御方法。
【請求項１３】
前記第２のステップでは、
前記第１のステップにおいて算出した記録パワーのイレースパワー、クーリングパワー及び又はミドルパワーを増加して、今回記録する記録パワーを最終的に決定する
ことを特徴とする請求項９に記載のオーバーライトパワー制御方法。
【請求項１４】
前記第２のステップでは、
前記第１のステップにおいて算出した記録パワーのイレースパワー、クーリングパワー及びミドルパワーのうちのいずれか１つ、又はいずれか２つを増加して、今回記録する記録パワーを最終的に決定する
ことを特徴とする請求項１３に記載のオーバーライトパワー制御方法。
【請求項１５】
前記第１のステップでは、
前記光ディスクのローディングセットアップ中若しくはローディングセットアップを終了したとき又は前記光ディスクへの記録を開始したときに、以前に前記光ディスクの記録領域に記録したときの記録パワーを算出する
ことを特徴とする請求項９に記載のオーバーライトパワー制御方法。
【請求項１６】
前記第１のステップにおいて算出した前記記録パワーにより一度前記光ディスクに記録し、その上から前記第２のステップにおいて決定した今回記録する記録パワーにより前記光ディスクに記録する第３のステップ
を備えることを特徴とする請求項９に記載のオーバーライトパワー制御方法。
【発明の詳細な説明】
【技術分野】
【０００１】
本発明は、光ディスク装置及びオーバーライトパワー制御方法に関し、例えば、書換え型の光ディスクにオーバーライトを行う光ディスク装置に適用して好適なものである。
【背景技術】
【０００２】
従来、光ディスク装置において、以前に記録されている記録領域に上書き記録するオーバーライトを行う場合、以前に記録された記録状態によって今回記録するときの記録品質が大きく異なるという問題がある。
【０００３】
特に、以前に記録されたときの記録パワーが大きい場合、ＯＰＣ（Optimum Power Control）等によりパワー調整された記録パワーでのオーバーライトでは、ジッタ(Jitter)エラー（ＰＩエラー）等の記録エラーが増加して記録品質の悪化を招くことが多く、いわゆるリトライ処理や交替処理を実施することを余儀なくされることとなり、この結果、データの転送レートが低下することとなる。
【０００４】
そこで、例えば、以下の特許文献１によれば、レーザ光を照射して情報記録媒体における記録領域に情報を記録する記録手段と、記録領域に情報を記録するためのレーザ光の基準出力値を保持する基準出力値保持手段と、記録領域の中で情報が既に記録されている既記録領域における過去に照射されたレーザ光の出力値を推測する推測手段と、推測された出力値が基準出力値よりも大きい場合には、基準出力値よりも大きい出力値でレーザ光を既記録領域に照射するように記録手段を制御する制御手段とを備える。
【特許文献１】特開２００５−１９６８９０号公報
【発明の開示】
【発明が解決しようとする課題】
【０００５】
しかしながら、以前に記録されたときの記録パワーが大きい場合には、基準出力値よりも大きい出力値でレーザ光を既記録領域に照射したときであっても、記録エラーがある程度発生することから、結果として記録品質の悪化を招くと共に、基準出力値よりも大きい出力値でレーザ光を繰り返し照射することによって光ディスクの記録膜が劣化するという問題がある。
【０００６】
本発明は以上の点を考慮してなされたもので、オーバーライト性能を向上させ得る光ディスク装置及びオーバーライトパワー制御方法を提案しようとするものである。
【課題を解決するための手段】
【０００７】
かかる課題を解決するために本発明においては、書換え型の光ディスクにオーバーライトを行う光ディスク装置であって、以前に光ディスクの記録領域に記録したときの記録パワーを算出する算出部と、算出部により算出された記録パワーのライトパワーを、今回記録する記録パワーのライトパワーとして決定すると共に、算出部により算出された記録パワーのイレースパワー、クーリングパワー及び又はミドルパワーを調整して、今回記録する記録パワーを最終的に決定する記録パワー決定部とを備える。
【０００８】
また、本発明においては、書換え型の光ディスクにオーバーライトを行う光ディスク装置のオーバーライトパワー制御方法であって、以前に光ディスクの記録領域に記録したときの記録パワーを算出する第１のステップと、第１のステップにおいて算出した記録パワーのライトパワーを、今回記録する記録パワーのライトパワーとして決定すると共に、第１のステップにおいて算出した記録パワーのイレースパワー、クーリングパワー及び又はミドルパワーを調整して、今回記録する記録パワーを最終的に決定する第２のステップとを備える。
【０００９】
従って、前回出力した記録パワーが大きい場合でも、記録パワーのライトパワーを増加することなく記録エラーを減少することができると共に、さらに大きい記録パワーでの出力による光ディスクの記録膜の劣化を未然かつ有効に防止することができる。
【発明の効果】
【００１０】
本発明によれば、オーバーライト性能を向上させ得る光ディスク装置及びオーバーライトパワー制御方法を実現できる。
【発明を実施するための最良の形態】
【００１１】
以下図面について、本発明の一実施の形態を詳述する。
【００１２】
（１）本実施の形態における光ディスク装置の構成
図１は、本実施の形態による光ディスク装置１の全体構成の一例を示している。光ディスク装置１は、スピンドルモータ１１、光ディスク１２、光ピックアップ１３、スピンドルモータ制御回路１４、レーザ制御回路１５、記録回路１６、再生回路１７、マイクロコンピュータ（マイコン）（MPU: Micro Processing Unit）１８及びフラッシュロム１９を備えている。
【００１３】
この光ディスク装置１には、スピンドルモータ１１の回転軸先端に、図示しないターンテーブル等の保持部材により、着脱可能な円盤状の情報記録媒体である光ディスク１２が装着されている。光ディスク１２は、所定の回転速度で回転駆動される。
【００１４】
また、光ディスク装置１には、光ピックアップ１３が、このように所定の回転速度で回転駆動される光ディスク１２の情報記録面（図の下面）に対向し、かつ、当該光ディスク１２の半径方向に移動可能に設けられている。光ピックアップ１３は、ここでは図示しないが、その内部に備えた光源である半導体レーザからのレーザビームを、対物レンズを含む光学系を介して、上記光ディスク１２の情報記録面へ照射し、更には、その反射光を受光して、いわゆる、フォーカシング動作やトラッキング動作を行う。これにより、光ピックアップ１３は、テスト信号や実記録信号を記録し、又は、再生する。
【００１５】
スピンドルモータ制御回路１４は、スピンドルモータ１１に駆動電流を供給するための、いわゆる、スピンドルモータ制御用のドライバ回路であり、例えば、４倍速（４ｘ）、６倍速（６ｘ）の制御が可能である。レーザ制御回路１５は、光ピックアップ１３の光源である半導体レーザに駆動電流を供給するためのレーザ制御用のドライバ回路である。なお、このレーザ制御回路１５には、以下に述べるマイコン１８からの制御信号と、記録回路１６からの記録制御信号とが入力される。
【００１６】
記録回路１６は、テスト信号や外部（例えば、図示しないが、ホストコンピュータ等）から入力した実記録信号を信号処理して記録制御を行う。再生回路１７は、光ピックアップ１３によって検出されて出力される再生信号に所定の処理を行う。そして、生成された信号（例えば、ディジタルデータ）は、例えば、ホストコンピュータに出力される。
【００１７】
マイコン１８は、上述した構成を備えた光ディスク装置１を制御するための制御ユニットであり、再生回路１７を介して各種の信号が入力され、当該信号に基づいて、レーザ制御回路１５に加え、スピンドルモータ制御回路１４、レーザ制御回路１５及び記録回路１６に制御信号を出力する。また、このマイコン１８は、その記憶装置として、フラッシュロム（Flash-ROM）１９を備えている。
【００１８】
このように光ディスク装置１では、上述の構成を備えることにより、情報の記録及び再生動作を含めた所定の動作を達成することができる。
【００１９】
例えば、マイコン１８は、ホストコンピュータからの記録開始命令により、試し書き動作を開始する。この場合、マイコン１８は、この記録開始命令をスピンドルモータ制御回路１４に伝え、このスピンドルモータ制御回路１４がスピンドルモータ１１を回転させることで、光ディスク１２を所定速度で回転させる。また、マイコン１８は、このとき、レーザ制御回路１５に指示し、光ピックアップ１３の半導体レーザからのレーザビームの出力強度を制御しながら、テスト信号を光ピックアップ１３に伝え、光ディスク１２の試し書き領域に記録し又は再生を行なう（ＯＰＣ処理）。
【００２０】
そして、マイコン１８は、最適記録パワーを算出し、その算出値をレーザ制御回路１５に伝える。次に、マイコン１８は、レーザ制御回路１５に指示を与え、同時に、実記録信号を光ピックアップ１３に伝える。これにより、光ピックアップ１３は、算出した最適記録パワーでオーバーライトを行うことが可能となる。
【００２１】
図２は、今回出力した記録パワーと記録エラーとの関係の一例を示している。横軸は、以前に記録されている記録領域に対してオーバーライトを行ったときにおける今回出力した記録パワーを示しており、縦軸は、記録エラーの頻度を示している。なお、横軸の記録パワーが１００％であるということは、ＯＰＣ処理により算出された最適記録パワーで今回出力した記録パワーの出力がされていることを意味する。また、記録パワーが１１０％であるということは、ＯＰＣ処理により算出された最適記録パワーよりも１０％増で今回出力した記録パワーの出力がされていることを意味する。
【００２２】
第１のグラフ２１は、以前に記録領域に記録したときの記録パワーが適正な出力（例えば、記録パワーが１００％）であった場合におけるグラフを示している。第１のグラフ２１では、今回出力した記録パワーが１００％である場合には、記録エラーがほとんど発生していない。
【００２３】
第２のグラフ２２は、以前に記録領域に記録したときの記録パワーが高出力（例えば、記録パワーが１１０％）であった場合におけるグラフを示している。第２のグラフ２２では、今回出力した記録パワーが１００％である場合には、上述の第１のグラフ２１において今回出力した記録パワーが８０％である場合と同等の頻度で、記録エラーが発生することとなる。
【００２４】
また、第２のグラフ２２では、今回出力した記録パワーが１１０％である場合には、記録エラーの発生が減少しているが、大幅に減少するということはなく、やはり、ある程度の頻度で記録エラーが発生することとなる。このことは、上述の特許文献１のように、推測された過去に照射されたレーザ光の出力値が基準出力値（ＯＰＣ処理により算出された最適記録パワー）よりも大きい場合に、基準出力値よりも大きい出力値でレーザ光を既記録領域に照射したときであっても、記録エラーが多く改善効果が少ないということを意味する。
【００２５】
このように、上述の特許文献１のような場合であっても、記録エラーが多く改善効果が少ないため、結果として記録品質の悪化を招くと共に、基準出力値よりも大きい出力値でレーザ光を繰り返し照射することによって光ディスクの記録膜が劣化することとなる。
【００２６】
図３〜図５は、ＤＶＤ−ＲＡＭの一般的な規格上のライトパルス（Write Pulse）の発光パターンの一例を示している。ＤＶＤ−ＲＡＭの一般的な規格上のライトパルスの発光パターンは、光ピックアップ１３の半導体レーザからのレーザビームの記録パワーの出力の制御によって形成される。なお、本実施の形態においては、一例として、ＤＶＤ−ＲＡＭにおけるライトパルスの発光パターンについて述べたが、本発明はこれに限らず、例えば、ＣＤ−ＲＷ、ＤＶＤ±ＲＷ及びＢＤ−Ｒｅ（Blu-ray Disk Rewritable）のライトパルスの発光パターンについても適用することができる。
【００２７】
図３は、いわゆるモノパルス（3T Write Pulse）の発光パターンの一例を示している。ＮＲＺＩシグナル（NRZI Signal）３１は、図３に示す半導体レーザからのレーザビームの記録発光パターン３２の出力の制御によって形成される。
【００２８】
この場合、記録発光パターン３２は、最大出力の記録パワーであるピークパワー（Peak power）等のライトパワー（Write power）３３、消去出力の記録パワーであるバイアスパワー１（Bias power 1）等のイレースパワー（Erase power）３４、最小出力の記録パワーであるバイアスパワー２（Bias power 2）等のクーリングパワー（Cooling power）３５及びマルチパルスの谷となる出力の記録パワーであるバイアスパワー３（Bias power 3）等のミドルパワー（Middle power）３６の組合せにより構成される。
【００２９】
なお、モノパルスの記録発行パターン３２は、モノパルスであるため、イレースパワー３４及びミドルパワー３６が同一の記録パワーとなる。
【００３０】
図４は、いわゆるマルチパルス（5T Write Pulse of the multi-Pulse type）の発光パターンの一例を示している。ＮＲＺＩシグナル（NRZI Signal）４１は、図４に示す半導体レーザからのレーザビームの記録発光パターン４２の出力の制御によって形成される。この場合、記録発光パターン４２は、ライトパワー４３、イレースパワー４４、クーリングパワー４５及びミドルパワー４６の組合せにより構成される。
【００３１】
図５は、いわゆるノンマルチパルス（5T Write Pulse of the non multi-Pulse type）の発光パターンの一例を示している。ＮＲＺＩシグナル（NRZI Signal）５１は、図５に示す半導体レーザからのレーザビームの記録発光パターン５２の出力の制御によって形成される。この場合、記録発光パターン５２は、ライトパワー５３、イレースパワー５４、クーリングパワー５５及びミドルパワー５６の組合せにより構成される。
【００３２】
なお、本実施の形態においては、マルチパルスの発光パターン及びノンマルチパルスの発光パターンが、通常、イレースパワー４４、５４に比してミドルパワー４６、５６の記録パワーが高くなっているが、本願発明はこれに限らず、イレースパワー４４、５４及びミドルパワー４６、５６が同一の記録パワーであっても良く、イレースパワー４４、５４に比してミドルパワー４６、５６の記録パワーが低くなっていても良い。
【００３３】
図６は、この光ディスク装置１における記録パワー決定処理に関する、光ディスク装置１のマイコン１８の具体的な処理手順を示したフローチャートの一例である。
【００３４】
マイコン１８は、例えば、光ディスク１２が挿入され、光ディスク１２のローディングセットアップ（Loading setup）が開始されると、図示しないフラッシュロム１９内の制御プログラムを実行することにより、図６に示す記録パワー決定処理手順ＲＴ１に従って、光ディスク１２の所定箇所を再生して、光ディスク１２記録領域の記録状態を取得する（ＳＰ１）。
【００３５】
この場合、マイコン１８は、ローディングセットアップが開始され、光ディスク１２のファイルシステム（File System）を再生するときに、光ディスク１２の内周側の数ブロックのデータを再生するようレーザ制御回路１５に指示し、この後、再生回路１７から光ピックアップ１３からのレーザの照射に基づく再生信号のうちのＲＦ信号が入力される。そして、マイコン１８は、入力されたＲＦ信号から、当該ＲＦ信号の変調度（Modulation）及びアシンメトリ（β）を算出して取得する。
【００３６】
図７は、ＲＦ信号の波形及びＲＦ信号を拡大した波形についての一例を示している。変調度（M: Modulation）及びアシンメトリ（β）は、ＲＦ信号のトップエンベロープ（Top Envelop）とボトムエンベロープ（Bottom Envelop）とから算出される。
【００３７】
ここで、トップエンベロープを「Ｔ」、ボトムエンベロープを「Ｂ」、トップエンベロープ及びボトムエンベロープの平均値であるアベレージ（Average）を「Ａ」とする。この場合、変調度「Ｍ」（％）は、
【００３８】
【数１】
2009151862.tif 000003
【００３９】
により算出される。また、アシンメトリ「β（Beta）」（％）は、
【００４０】
【数２】
2009151862.tif 000004
【００４１】
により算出される。
【００４２】
なお、マイコン１８は、光ディスク１２がＤＶＤ−ＲＡＭの場合には、ローディングセットアップが開始され、光ディスク１２のＤＩＺ（Disc Identification Zone）やＤＭＡ（Defect Management Area）を再生するときに、光ディスク１２の内周側及び外周側の数ブロックのデータを再生するようレーザ制御回路１５に指示する。この場合には、マイコン１８は、内周側のＲＦ信号及び外周側のＲＦ信号が入力され、当該ＲＦ信号の変調度及びアシンメトリを算出して取得することができるため、内周側の変調度及びアシンメトリ並びに外周側の変調度及びアシンメトリの関係式を得ることができる。そして、マイコン１８は、当該関係式より、内周側及び外周側の間の変調度及びアシンメトリについても算出することができる。
【００４３】
図６に戻り、続いて、マイコン１８は、ＯＰＣ処理時に得られた光ディスク１２の記録パワーと変調度との関係式により、以前に記録領域に記録したときの記録パワーを算出する（ＳＰ２）。
【００４４】
この場合、マイコン１８は、ＯＰＣ処理時に記録パワーを段階的に引き上げながら制御することにより、最適記録パワーを算出する。このため、マイコン１８は、記録パワーごとに、当該記録パワーの変調度及びアシンメトリについても算出していることとなる。従って、マイコン１８は、ＯＰＣ処理により、光ディスク１２の記録パワーと変調度との関係式及び記録パワーとアシンメトリとの関係式を得ることができる。
【００４５】
そして、マイコン１８は、上述のステップＳＰ１により取得した変調度を、ＯＰＣ処理時に得られた記録パワーと変調度との関係式に適用することにより、以前に記録領域に記録したときの記録パワーを算出する（推定する）ことができる。なお、マイコン１８は、光ディスク１２別に予め登録しておいた光ディスク１２の記録パワーと変調度との関係式及び記録パワーとアシンメトリとの関係式により、以前に記録領域に記録したときの記録パワーを算出する（推定する）こともできる。
【００４６】
続いて、マイコン１８は、上述のステップＳＰ１により取得したアシンメトリが、光ディスク１２の記録膜の劣化防止等のためマイコン１８により予め設定されているアシンメトリの上限値より大きいか否かをチェックする（ＳＰ３）。
【００４７】
そして、マイコン１８は、取得したアシンメトリが、予め設定されているアシンメトリの上限値以下である場合（ＳＰ３：ＮＯ）には、上述のステップＳＰ２により算出した記録パワーのライトパワーを、今回記録する記録パワーのライトパワーとして決定する（ＳＰ４）。これに対して、マイコン１８は、取得したアシンメトリが、予め設定されているアシンメトリの上限値よりも大きい場合（ＳＰ３：ＹＥＳ）には、予め設定されているアシンメトリの上限値を、ＯＰＣ処理時に得られた記録パワーとアシンメトリとの関係式に適用することにより、記録パワーを算出し、当該記録パワーのライトパワーを、今回記録する記録パワーのライトパワーとして決定する（ＳＰ５）。
【００４８】
これにより、マイコン１８は、取得したアシンメトリが予め設定されているアシンメトリよりも大きい場合には、今回記録する記録パワーのライトパワーを、上述のステップＳＰ２により算出した記録パワーのライトパワーでなく、予め設定されているアシンメトリの上限値に基づく記録パワーに決定するため、大きい記録パワーでのレーザビームの出力による光ディスク１２の記録膜の劣化を未然かつ有効に防止することができる。
【００４９】
すなわち、アシンメトリが大きい場合には、変調度も大きくなるため、いわば予め設定されているアシンメトリが、光ディスク１２への記録パワーの過大出力を防止する防護的な役割を果たすこととなる。
【００５０】
続いて、マイコン１８は、算出した記録パワーのイレースパワー、クーリングパワー及びミドルパワーを調整し、今回記録する記録パワーを最終的に決定する（ＳＰ６）。
【００５１】
図８は、今回出力した記録パワーと記録エラーとの関係の一例を示している。横軸は、以前に記録されている記録領域に対してオーバーライトを行ったときにおける今回出力した記録パワーを示しており、縦軸は、記録エラーの頻度を示している。なお、横軸の記録パワーが１００％であるということは、前回出力した記録パワーで今回出力した記録パワーの出力がされていることを意味する。また、記録パワーが１１０％であるということは、前回出力した記録パワーよりも１０％増で今回出力した記録パワーの出力がされていることを意味する。
【００５２】
第３のグラフ６１は、今回出力した記録パワーのライトパワー、イレースパワー、クーリングパワー及びミドルパワーが、前回出力した記録パワーのライトパワー、イレースパワー、クーリングパワー及びミドルパワーと同一の出力であった場合におけるグラフを示している。第３のグラフ６１では、前回出力した記録パワーのライトパワー、イレースパワー、クーリングパワー及びミドルパワーと同一の出力であるにもかかわらず、前回出力した記録パワーが大きくなるにつれて、記録エラーの頻度も急激に増加するため、前回出力した記録パワーでオーバーライトを行った場合でも記録エラーが多く改善効果が少ないこととなる。
【００５３】
これに対して、第４のグラフ６２は、今回出力した記録パワーのライトパワーのみを前回出力した記録パワーのライトパワーを同一の出力とし、今回出力した記録パワーのイレースパワー、クーリングパワー及びミドルパワーを調整した場合におけるグラフを示している。第４のグラフ６２では、前回出力した記録パワーが大きくなった場合でも、上述の第３のグラフ６１に比して、記録エラーの発生の頻度の上昇が緩やかであるため、オーバーライトを行った場合における記録品質改善効果が大きくなることとなる。
【００５４】
このように、マイコン１８は、算出した記録パワーのイレースパワー、クーリングパワー及びミドルパワーを調整することにより、前回出力した記録パワーでオーバーライトを行った場合よりも記録エラーの発生を減少することができる。
【００５５】
図９は、今回出力したイレースパワー、クーリングパワー及びミドルパワーと記録エラーとの関係の一例を示している。横軸は、以前に記録されている記録領域に対してオーバーライトを行ったときにおける今回出力した記録パワーのイレースパワー、クーリングパワー及びミドルパワーを示しており、縦軸は、記録エラーの頻度を示している。なお、横軸の記録パワーのイレースパワー、クーリングパワー及びミドルパワーが１００％であるということは、前回出力した記録パワーのイレースパワー、クーリングパワー及びミドルパワーで今回出力した記録パワーのイレースパワー、クーリングパワー及びミドルパワーの出力がされていることを意味する。また、記録パワーのイレースパワー、クーリングパワー及びミドルパワーが１１０％であるということは、前回出力した記録パワーのイレースパワー、クーリングパワー及びミドルパワーよりも１０％増で今回出力した記録パワーのイレースパワー、クーリングパワー及びミドルパワーの出力がされていることを意味する。
【００５６】
第５のグラフ６３では、今回出力した記録パワーのイレースパワー、クーリングパワー及びミドルパワーが１００％である場合よりも、１１０％である場合のほうが記録エラーの頻度が減少するため、前回出力した記録パワーのイレースパワー、クーリングパワー及びミドルパワーでオーバーライトを行った場合よりも今回出力した記録パワーのイレースパワー、クーリングパワー及びミドルパワーを増加したほうが、記録エラーが少なく改善効果が大きいこととなる。
【００５７】
このように、マイコン１８は、前回出力した記録パワーのイレースパワー、クーリングパワー及びミドルパワーに比して、算出した記録パワーのイレースパワー、クーリングパワー及びミドルパワーを増加することにより、今回記録する記録パワーを最終的に決定する。
【００５８】
これにより、マイコン１８は、前回出力した記録パワーが大きい場合でも、記録パワーのライトパワーを増加することなく記録エラーを減少することができると共に、さらに大きい記録パワーでのレーザビームの出力による光ディスク１２の記録膜の劣化を未然かつ有効に防止することができる。
【００５９】
やがて、マイコン１８は、この後、この図６に示す記録パワー決定処理手順ＲＴ１を終了する（ＳＰ７）。
【００６０】
なお、本実施の形態においては、算出した記録パワーのイレースパワー、クーリングパワー及びミドルパワーを一律で増加した場合について述べたが、本発明はこれに限らず、イレースパワー、クーリングパワー及びミドルパワーのうちのいずれか１つ、又はいずれか２つを増加するようにしても良い。これにより、マイコン１８は、より細やかにイレースパワー、クーリングパワー及びミドルパワーを調整することができ、調整により一段と記録エラーを減少することができる。
【００６１】
また、本実施の形態においては、光ディスク１２のローディングセットアップが開始され、光ディスク１２のファイルシステムを再生するときに、図６に示す記録パワー決定処理手順ＲＴ１を実行した場合について述べたが、本発明はこれに限らず、例えば、外部から入力した実記録信号を信号処理して記録制御を行う記録時（光ディスク１２への記録が開始されるとき）その他種々の契機においても図６に示す記録パワー決定処理手順ＲＴ１を実行するようにしても良い。この場合、例としては、記録時にＲＭＷ（Read Modify Write）を再生することにより、記録時におけるゾーン（Zone）切り替えにおいて先頭の数ブロック分のデータを再生することにより、又は光ディスク１２のローディング後にファイルシステムから得られた最終記録アドレスのデータを再生することにより、図６に示す記録パワー決定処理手順ＲＴ１を実行する。
【００６２】
このように、マイコン１８は、光ディスク１２のローディング時だけでなく、記録時においても図６に示す記録パワー決定処理手順ＲＴ１を実行することにより、ローディング時、記録時その他の種々の契機でオーバーライト時における記録品質を改善することができる。
【００６３】
さらに、本実施の形態においては、以前に記録領域に記録したときの記録パワーを算出し、予め設定されているアシンメトリの上限値以下である場合には、上述のステップＳＰ２により算出した記録パワーのライトパワーを、今回記録する記録パワーのライトパワーとして決定し、算出した記録パワーのイレースパワー、クーリングパワー及びミドルパワーを調整して、今回記録する記録パワーを最終的に決定した場合について述べたが、本発明はこれに限らず、算出した以前に記録領域に記録したときの記録パワーにより一度光ディスク１２の所定箇所に記録し、その上からオーバーライトを行うことによりイレースパワー、クーリングパワー及びミドルパワーを調整して、今回記録する記録パワーを最終的に決定するようにしても良い。
【００６４】
例えば、光ディスク１２がＤＶＤ−ＲＡＭの場合、マイコン１８は、ライトパワー（Pw）及びイレースパワー（Pe）を一定の比で交互に出力するＰｗＰｅスキャンを実行することにより、変調度、アシンメトリ等の関係から以前に記録領域に記録したときの記録パワーを算出する。その後、マイコン１８は、算出した以前に記録領域に記録したときの記録パワーで一度光ディスクのテスト領域の所定の箇所に下地として記録する。そして、マイコン１８は、その上からイレースパワーを出力するＰｅスキャンを実行することにより、イレースパワー、クーリングパワー及びミドルパワーを算出してイレースパワー、クーリングパワー及びミドルパワーを調整すると共に、以前に記録領域に記録したときの記録パワーのライトパワーと同一に決定して、今回記録する記録パワーを最終的に決定するようになされている。
【００６５】
これにより、マイコン１８は、算出した以前に記録領域に記録したときの記録パワーのイレースパワー、クーリングパワー及びミドルパワーの増加率を一律に決定することにより、必ずしも光ディスク１２にとって最適な記録パワーを決定することができないといった場合にも、算出した以前に記録領域に記録したときの記録パワーで一度記録領域の下地として記録し、その上からオーバーライトを行うことにより記録パワーのイレースパワー、クーリングパワー及びミドルパワーを調整することで、光ディスク１２にとって最適な記録パワーを決定することができる。
【００６６】
なお、本願発明では、マイコン１８が、ＰｗＰｅスキャン、Ｐｅスキャン、Ｐｗスキャンを実行することにより、今回記録領域に記録するときの記録パワーを算出する。そして、マイコン１８は、算出した今回記録領域に記録するときの記録パワーに基づいて、以前に記録領域に記録するときの記録パワーを算出し、その後、算出した以前に記録領域に記録したときの記録パワーにより一度光ディスク１２の所定箇所に記録し、その上からオーバーライトを行うことによりイレースパワー、クーリングパワー及びミドルパワーを調整して、今回記録する記録パワーを最終的に決定するようにしても良い。
【００６７】
また、本願発明では、マイコン１８が、ＰｗＰｅスキャンを実行することにより、以前に記録領域に記録したときの記録パワーを算出し、算出した以前に記録領域に記録したときの記録パワーにより一度光ディスク１２の所定箇所に記録する。そして、マイコン１８は、その後、その上からＰｅスキャンを実行することにより、イレースパワー、クーリングパワー及びミドルパワーを算出してイレースパワー、クーリングパワー及びミドルパワーを調整すると共に、以前に記録領域に記録したときの記録パワーのライトパワーと同一に決定して、今回記録する記録パワーを最終的に決定するようにしても良い。
【００６８】
（２）動作及び効果
このようにして、光ディスク装置１では、以前に記録領域に記録したときの記録パワーを算出し、算出した記録パワーのライトパワーを、今回記録する記録パワーのライトパワーとして決定し、算出した記録パワーのイレースパワー、クーリングパワー及びミドルパワーを調整して、最終的に今回記録する記録パワーを決定する。
【００６９】
従って、前回出力した記録パワーが大きい場合でも、記録パワーのライトパワーを増加することなく記録エラーを減少することができると共に、さらに大きい記録パワーでの出力による光ディスク１２の記録膜の劣化を未然かつ有効に防止することができ、かくして、オーバーライト性能を向上させることができる。
【産業上の利用可能性】
【００７０】
本発明は、ホストコンピュータ等のパーソナルコンピュータに組み込まれる光ディスク装置に広く適用することができる。
【図面の簡単な説明】
【００７１】
【図１】本実施の形態による光ディスク装置の概略的な構成を示すブロック図である。
【図２】今回出力した記録パワーと記録エラーとの関係の一例の説明に供する概念図である。
【図３】モノパルスの発光パターンの一例の一例の説明に供する概念図である。
【図４】マルチパルスの発光パターンの一例の一例の説明に供する概念図である。
【図５】ノンマルチパルスの発光パターンの一例の一例の説明に供する概念図である。
【図６】記録パワー決定処理手順を示すフローチャートである。
【図７】ＲＦ信号の波形及びＲＦ信号を拡大した波形についての一例の説明に供する概念図である。
【図８】今回出力した記録パワーと記録エラーとの関係の一例の説明に供する概念図である。
【図９】回出力したイレースパワー、クーリングパワー及びミドルパワーと記録エラーとの関係の一例の説明に供する概念図である。
【符号の説明】
【００７２】
１……光ディスク装置、１１……スピンドルモータ、１２……光ディスク、１３……光ピックアップ、１４……スピンドルモータ制御回路、１５……レーザ制御回路、１６……記録回路、１７……再生回路、１８……マイコン、１９……フラッシュロム、３１、４１、５１……シグナル、３２、４２、５２……記録発光パターン、３３、４３、５３……ライトパワー、３４、４４、５４……イレースパワー、３５、４５、５５……クーリングパワー、３６、４６、５６……ミドルパワー
【図１】
2009151862.tif 000005
【図２】
2009151862.tif 000006
【図３】
2009151862.tif 000007
【図４】
2009151862.tif 000008
【図５】
2009151862.tif 000009
【図６】
2009151862.tif 000010
【図７】
2009151862.tif 000011
【図８】
2009151862.tif 000012
【図９】
2009151862.tif 000013